【事件の表示】
　平成　３年特許願第３３２１１９号「映像信号再生及び記録再生装置」拒絶査定に対する審判事件［平成　５年　７月　２日出願公開、特開平　５−１６８０４２］について、次のとおり審決する。
【結　論】
　本件審判の請求は、成り立たない。
【理　由】
１．本願発明
　
　本願は、平成３年１２月１６日の出願であって、本願の発明は、平成１２年１０月３０日付け及び平成１３年５月１０日付け手続補正書により補正された明細書及び図面の記載からみて、その特許請求の範囲の請求項１及び２に記載された「映像信号再生装置」及び「映像信号記録再生装置」にあると認められるところ、その請求項１に係る発明（以下「本願発明」という。）は、次に掲げるとおりのものである。
「クロマ信号が低域変換されて所定の記録媒体に記録された映像信号を再生する映像信号再生装置において、
　上記記録媒体より再生した映像信号に含まれるクロマ信号の、各フィールドのサンプリング位置がフィールド間で９０°ずつオフセットされたオフセット分を補間する補間手段と、
　該補間手段で補間されたクロマ信号のノイズ除去を行うノイズリデューサとを備えて、
　上記ノイズリデューサの出力からクロマ信号を得るようにした映像信号再生装置」
　
　
２．刊行物発明
　
　これに対して、原審の拒絶理由に引用された刊行物である、本願の出願の日前の昭和６２年６月８日に頒布された特開昭６２−１２５７９３号公報には、図面とともに次に掲げるａ．及びｂ．の事項からなる「ビデオテープレコーダの色信号処理回路」（以下「刊行物発明」という。）が記載されている。
　
ａ．「入力信号を記録用低域変換色信号に変換する色信号記録処理回路と、再生低域変換色信号を所望の出力信号に変換する色信号再生処理回路を備えたビデオテープレコーダの色信号処理回路において、入力搬送色信号を色信号に復調する色信号復調器、この色信号の最高周波数より高くそれの２倍よりは低い水平走査周波数の整数倍の周波数をもち、かつ一フィールド毎に位相が１／２周期ずれるサンプリング信号を発生する第１のサンプリング信号発生回路、この回路からのサンプリング信号発生回路をもって上記復調色信号をサンプリングする第１のサンプリング回路、この回路によりサンプリングされた信号から上記サンプリング信号周波数の１／２以上の周波数信号を阻止する低域フィルタ及びこのフィルタからの出力信号を直接又は所望の信号に変換して上記色信号記録処理回路に上記入力信号として印加する記録色信号出力回路を備えた色信号周波数圧縮回路と、上記色信号再生処理回路からの出力信号を色信号として入力する再生色信号入力回路、上記第１のサンプリング信号発生回路と同じサンプリング信号を発生する第２のサンプリング信号発生回路、上記再生色信号入力回路からの色信号を上記第２のサンプリング信号発生回路からのサンプリング信号でサンプリングする第２のサンプリング回路、このサンプリング回路でサンプリングされた信号を１フィールド遅延させるフィールドメモリ、上記第２のサンプリング回路からの信号と上記フィールドメモリからの１フィールド遅延された信号とを、上記第２のサンプリング発生回路からのサンプリング信号と同一周期で切換え出力する切換えスイッチ、及びこの回路からの信号を搬送色信号に変調する搬送色信号変調器を備えた色信号補間回路とを設けたことを特徴とするビデオテープレコーダの色信号処理回路」（特許請求の範囲の請求項１）
　
ｂ．「テープ・ヘッド系（９）にて再生され、第７図に示す従来と同様の色信号再生処理回路（１７）にて変換された再生搬送色倍号は、第２の色信号復調器（３１）にて２つの色差信号である色信号に変換され第２のサンプリング回路（３２）（３２’）に印加される。この色信号はおよそ第２図ｄに示すようにスペクトルをもっている。一方サンプリング信号が記録時と全く同様に、水平同期信号を周波数逓倍器（３４）でｆｐ=ＮｆＨ迄逓倍され、この逓倍信号と移相器（３５）で１／２周期遅延された信号とを１フイールド毎にスイッチ（３６）にて切換えることによって第２のサンプリング信号発生回路（３３）で発生される。このサンプリング信号によって再生色信号が第２のサンプリング回路（３２）（３２）でサンプリングし保持される。
このサンプリングされた色信号の周波数スペクトルは第５図ａに示すようになり、記録時におけるサンプリング後のスペクトル（第２図ｂ）と同様になる。このサンプリングされた色信号はフィールドメモリ（３７）（３７’）及び切換えスイッチ（３８）（３８’）のａ接点に供給される。フィールドメモリ（３７）（３７’）では入力された色信号を１フィールド１／ｆｆ（ＮＴＳＣでは１／６０秒）だけ遅延して切換えスイッチ（３８）（３８’）のｂ接点に供給する。切襖えスイッチ（３８）（３８'）は第５図ｂで示すように、白丸で示した記録時のサンプリングポイント間を、黒丸で示す１フィールド前の信号で補間する動作を行なう。この切換えのタイミングはサンプリング信号発生回路（３３）からのサンプリング信号で行なう。
このような補間操作を行なうことによって、本来１／ｆｐの間隔でサンプルされた信号が等価的に１／２ｆｐの間隔でサンプルされたことになり、サンプリング定理によってｆｐまでの信号を再現できることになる。この時の切換えスイッチ（３８）（３８’）からの出力色信号の周波数スペクトルは第５図ｃに示すようになり記録信号の周波数スペクトルが再現される。以上のように処理された色信号は搬信号変調器（３９）にて直角二相変調され、帯域フィルタ（４０）にて不要成分が除去されて再生搬送色信号が得られる。」（５頁左下欄４行ないし６頁左上欄３行）
　
　
３．刊行物発明と本願発明との対比・検討
　
（１）刊行物発明と本願発明との対比
　刊行物発明における事項と本願発明における事項とを対比すると、刊行物発明は「ビデオテープレコーダの色信号処理回路」であるのに対し、本願発明は「映像信号再生装置」であるが、本願発明もビデオテープに記録された映像信号を再生する装置におけるクロマ信号の処理に特徴を有するものであるから、刊行物発明と本願発明は同一の技術分野に係る発明といえる。よって、次に掲げるａ．ないしｃ．の事項がそれぞれ相当ないしは対応する。
　
ａ．刊行物発明における「色信号」は、本願発明における「クロマ信号」に相当する。
　
ｂ．刊行物発明における「色信号補間回路」は、１／２周期のずれ、すなわち１８０°ずつずれたオフセットのオフセット分を補間しているのに対し、本願発明における「補間手段」は９０°ずつずれたオフセットのオフセット分を補間している点で相違するものの、オフセットサブサンプリングにより生じたオフセット分を補間するという点では同様の機能を有するものである。したがって、刊行物発明における「色信号補間回路」は、本願発明における「補間手段」に対応する（上記２．ａ及びｂ参照）。
　
ｃ．刊行物発明における「帯域フィルタ４０」は、補間処理された後、不要成分、すなわちクロマ信号のノイズ成分を除去する構成であるから、本願発明における「ノイズリデューサ」に相当する（上記２．ｂ参照）。
　
（２）刊行物発明と本願発明との一致点・相違点の検討
 上記（１）の対比から刊行物発明と本願発明とは、次に掲げるａ．の点で一致し、ｂ．の点で相違する。
　
　ａ．一致点
「クロマ信号が低域変換されて所定の記録媒体に記録された映像信号を再生する映像信号再生装置において、
　上記記録媒体より再生した映像信号に含まれるクロマ信号の、各フィールドのサンプリング位置がフィールド間でオフセットされたオフセット分を補間する補間手段と、
　該補間手段で補間されたクロマ信号のノイズ除去を行うノイズリデューサとを備えて、
　上記ノイズリデューサの出力からクロマ信号を得るようにした映像信号再生装置」
　
　ｂ．相違点
　フィールド間のサンプリング位置のオフセットが、本願発明においては「９０゜」であるのに対して、刊行物発明においては１／２周期すなわち「１８０°」である点
　
（３）相違点についての検討
　従来より、データ量を圧縮するための手法として、サブサンプリング技術を使うことは常套手段にすぎない。そして、サブサンプリング手法としてオフセットを９０°とすることも、例えば原審の拒絶理由に引用された刊行物である特開昭６３−１８４４９５号公報に記載されているように、周知の技術事項にすぎない。してみると、刊行物発明において低域変換されて記録媒体に記録される色信号をサブサンプリングするに際し、フィールド間のオフセットを１８０°ずつのオフセットに替え、９０°ずつのオフセットとすることは当業者が適宜なし得る技術事項にすぎないと認められる。
　
　なお、請求人は審判請求の理由の中で、刊行物発明では２フィールド周期で１８０°オフセットさせているため、高価なくし形フィルタが必要であるのに対し、本願発明では９０°のオフセットとしたため簡単なノイズリデューサの採用で足りる旨主張している。
　しかしながら、刊行物発明にフィールド間で９０°ずつのオフセットを行う技術を適用したものは、請求人が主張するようにくし形フィルタが必要ではなく、簡単なノイズリデューサの採用で足りることは、当業者にとって十分予測されることで、格別のことともいえない。
　
　
４．むすび
　
　以上のとおり、本願発明は、刊行物発明に基いて、当業者が容易に発明をすることができたものであるから、特許法第２９条第２項の規定により特許を受けることができない。
　
　したがって、請求項２に係る発明について、検討するまでもなく、本願は拒絶をすべきものである。
　
　よって、結論のとおり審決する。